(57)【特許請求の範囲】
【請求項１】
トナーを収容する筐体の内部もしくは外部に、円筒もしくは半円筒の部材からなり、該部材の側面に該側面を挿通する第１の開口部が設けられた隔壁を回動可能に備え、該隔壁を回動させることにより、該隔壁の前記第１の開口部と、前記筐体に設けられた、該筐体の内部と外部とを挿通し、該筐体の内部のトナーを外部へ排出するための第２の開口部との対向及び非対向を切替可能であり、前記筐体には、回動可能に該筐体に支持され、回動することによって、前記隔壁の両端部の各々に対して回動操作を加える１対のレバー部材が設けられているトナーカートリッジを装着され、該トナーカートリッジから排出されるトナーを静電潜像に付着させ、該静電潜像を現像する現像装置であって、
前記トナーカートリッジにおける第２の開口部と対向し、該第２の開口部から排出されるトナーを取り込む第３の開口部と、
該第３の開口部を閉塞するためのシャッタと、
該第３の開口部を開放する位置と閉塞する位置とに移動可能にシャッタを保持する保持機構と、
前記トナーカートリッジのレバー部材に係合し、該レバー部材の回動に応じて前記シャッタを移動させると共に、該レバー部材の回動を前記トナーカートリッジの隔壁の両端部に伝達する伝達機構と
を備えることを特徴とする現像装置。
【請求項２】
前記レバー部材は、
他方の前記レバー部材と互いに連結されていることを特徴とする請求項１記載の現像装置。
【請求項３】
前記レバー部材のうちの少なくとも一方は、
当該現像装置へのトナーの排出方向の反対側へ延伸されていることを特徴とする請求項１又は請求項２記載の現像装置。
【発明の詳細な説明】
【技術分野】
【０００１】
本発明は、トナーを収容する筐体の内部もしくは外部に、円筒もしくは半円筒の部材からなり、該部材の側面に該側面を挿通する第１の開口部が設けられた隔壁を回動可能に備え、該隔壁を回動させることにより、該隔壁の第１の開口部と、筐体に設けられた、該筐体の内部と外部とを挿通し、該筐体の内部のトナーを外部へ排出するための第２の開口部との対向及び非対向を切替可能なトナーカートリッジを装着され、該トナーカートリッジから排出されるトナーを静電潜像に付着させ、該静電潜像を現像する現像装置に関する。
【背景技術】
【０００２】
従来より、静電潜像にトナーを付着させて、静電潜像を現像する現像装置と、現像装置に装着され、筐体の内部に収容しているトナーを現像装置に供給するトナーカートリッジとを備え、現像装置により現像された静電潜像を記録媒体上に転写することで、記録媒体上に画像を形成する画像形成装置が様々に開発されている。
【０００３】
そして、そのなかの１つとして、トナーを排出する第１の開口部が外周面上に形成された円筒状の筐体と、第１の開口部と対向することで第１の開口部を開放する第２の開口部が形成され、筐体の外周面を覆う円筒状のスライドカバーとを備えたトナーカートリッジを現像装置に装着する画像形成装置がある（特許文献１を参照）。
【０００４】
この画像形成装置では、ユーザは、トナーカートリッジを現像装置に装着する際には、一方の手でトナーカートリッジのスライドカバーを押さえながら、もう一方の手でトナーカートリッジの第１の開口部と第２の開口部とが対向するようにトナーカートリッジの筐体を回動するだけで、トナーカートリッジの第１の開口部を容易に開放できる。また、トナーカートリッジを現像装置から取り外す際には、一方の手でトナーカートリッジのスライドカバーを押さえながら、もう一方の手でトナーカートリッジの第１の開口部と第２の開口部とが非対向となるようにトナーカートリッジの筐体を回動するだけで、トナーカートリッジの第１の開口部を容易に閉塞できる。
【特許文献１】特開２００４−６１７５７号公報（段落［００８３］、図１２）
【発明の開示】
【発明が解決しようとする課題】
【０００５】
ここで、上述の画像形成装置では、ユーザがトナーカートリッジの筐体を回動するだけで容易にトナーカートリッジの第１の開口部の開放及び閉塞を行うことができるものの、ユーザが片手でしかトナーカートリッジの筐体を回動することができないため、ユーザにとっては、トナーカートリッジの筐体を回動し難く、トナーカートリッジの第１の開口部の開放及び閉塞に手間を要するという問題点があった。
【０００６】
そこで、本発明は、トナーを排出する開口部の開放及び閉塞を従来よりも容易に行うことが可能な現像装置を提供することを目的とする。
【課題を解決するための手段】
【０００７】
上記目的を達成するためになされた本発明は、トナーを収容する筐体の内部もしくは外部に、円筒もしくは半円筒の部材からなり、該部材の側面に該側面を挿通する第１の開口部が設けられた隔壁を回動可能に備え、該隔壁を回動させることにより、該隔壁の第１の開口部と、筐体に設けられた、該筐体の内部と外部とを挿通し、該筐体の内部のトナーを外部へ排出するための第２の開口部との対向及び非対向を切替可能であり、筐体には、回動可能に該筐体に支持され、回動することによって、隔壁の両端部の各々に対して回動操作を加える１対のレバー部材が設けられているトナーカートリッジを装着され、該トナーカートリッジから排出されるトナーを静電潜像に付着させ、該静電潜像を現像する現像装置であって、トナーカートリッジにおける第２の開口部と対向し、該第２の開口部から排出されるトナーを取り込む第３の開口部と、該第３の開口部を閉塞するためのシャッタと、該第３の開口部を開放する位置と閉塞する位置とに移動可能にシャッタを保持する保持機構と、トナーカートリッジのレバー部材に係合し、該レバー部材の回動に応じてシャッタを移動させると共に、該レバー部材の回動をトナーカートリッジの隔壁の両端部に伝達する伝達機構とを備えることを特徴とする。
【０００８】
このように構成された現像装置では、ユーザは、１対のレバー部材によって隔壁の両端部の各々に対して回動操作を加えることができるため、隔壁を容易に回動させることができる。トナーカートリッジのレバー部材が回動されると、それに応じて、伝達機構が、第３の開口部を開放する位置もしくは閉塞する位置にシャッタを移動させると共に、レバー部材の回動をトナーカートリッジの隔壁の両端部に伝達する。つまり、この現像装置によれば、ユーザは、レバー部材によって、現像装置における第３の開口部の開放及び閉塞と、トナーカートリッジにおける第２の開口部の開放及び閉塞とを同時に行うことができる。
【０００９】
したがって、本発明によれば、トナーを排出する開口部の開放及び閉塞を従来よりも容易に行うことができる。
さらに、本発明によれば、トナーカートリッジを現像装置に装着する際に双方の開口部を開放するのに要する手間、及びトナーカートリッジを現像装置から離脱させる際に、双方の開口部を閉塞するのに要する手間を軽減できる。
尚、隔壁の両端部とは、円弧（円を含む）をなす両端部のことを指す。
【００１０】
ここで、本発明において、レバー部材は、各々が別個になっていてもよいが、他方のレバー部材と互いに連結されていることが望ましい。
このようにレバー部材が構成されていれば、ユーザは、片手で１対のレバー部材の双方を回動操作できる。つまり、ユーザは、片手で隔壁の両端部に回動操作を加えることができるため、トナーを排出する開口部の開放及び閉塞をより一層容易に行うことができる。
【００１１】
また、レバー部材のうちの少なくとも一方は、現像装置へのトナーの排出方向の反対側へ延伸されているとよい。
【００１２】
このようにレバー部材が構成されていれば、トナーカートリッジを現像装置に装着した際に、トナーカートリッジの隔壁が現像装置側に位置するようにトナーカートリッジの筐体が構成されていても、ユーザは、現像装置よりも手前側で隔壁の回動操作を行うことができ、トナーを排出する開口部の開放及び閉塞を現像装置よりも手前側で容易に行うことができる。
【発明を実施するための最良の形態】
【００１７】
以下に本発明の実施形態を図面と共に説明する。
まず、図１は、本発明を適用したプリンタ１の内部構造を簡略的に示す断面図である。尚、図１では、図中左方向がプリンタ１の前方に向かう方向である。
【００１８】
図１に示すように、プリンタ１は、本体２と、給紙カセット３とを備え、本体２の下部に給紙カセット３が装着されている。
そして、給紙カセット３は、バネ４によって前側が上方に付勢された支持板５を内部に備え、支持板５の上面には、記録媒体としての用紙（図示せず）が積層されている。
【００１９】
一方、本体２は、当該本体２の前部に開口部６が形成されている。そして、本体２は、開口部６の外側に蓋体７を開閉自在に備え、蓋体７によって開口部６を開放及び閉塞できるように構成されている。
【００２０】
また、本体２は、給紙機構８と、画像形成機構９と、排紙機構１０とを内部に備える。
ここで、給紙機構８は、支持板５の前方上方に、互いに対向するように給紙ローラ１１と搬送ローラ１２とを備え、給紙ローラ１１と搬送ローラ１２とが協働して支持板５の前方から支持板５上の用紙を一枚づつ取り込むように構成されている。
【００２１】
また、給紙機構８は、給紙ローラ１１の前方から給紙ローラ１１の上方に至る経路を形成するガイド１３を備え、給紙ローラ１１と搬送ローラ１２とが取り込んだ用紙をガイド１３に沿って本体２の後方に反転させるように構成されている。
【００２２】
更に、給紙機構８は、給紙ローラ１１の後方に、互いに当接するようにレジストローラ１４，１５を備え、レジストローラ１４，１５が協働して、ガイド１３によって反転された用紙を画像形成機構９に搬送するように構成されている。
【００２３】
また、画像形成機構９は、プロセス機構１６と、スキャナ機構１７と、定着機構１８とから構成されている。
ここで、プロセス機構１６は、給紙機構８の上方に現像装置１９を備える。そして、現像装置１９は、トナーカートリッジ４０と現像カートリッジ５０とを備え、トナーカートリッジ４０が現像カートリッジ５０の前方から水平方向に現像カートリッジ５０に装着されている。尚、トナーカートリッジ４０と現像カートリッジ５０の詳細については後述する。
【００２４】
また、プロセス機構１６は、現像カートリッジ５０の後方に、現像カートリッジ５０に具備された現像ローラ５１ｄと当接するように感光体ドラム２０を備え、感光体ドラム２０上に形成された静電潜像に現像ローラ５１ｄ上のトナーを付着させて、静電潜像をトナー像として現像するように構成されている。
【００２５】
また、プロセス機構１６は、感光体ドラム２０の後方上方に、スコロトロン帯電器２１を備え、スコロトロン帯電器２１によって感光体ドラム２０の表面を帯電させるように構成されている。
【００２６】
また、プロセス機構１６は、感光体ドラム２０の下方に、感光体ドラム２０と当接するように転写ローラ２２を備え、感光体ドラム２０と転写ローラ２２とが協働して給紙機構８から用紙を取り込むと共に、感光体ドラム２０上のトナー像を、取り込んだ用紙に転写するように構成されている。
【００２７】
また、スキャナ機構１７は、プロセス機構１６の上方に設けられている。そして、スキャナ機構１７は、等角速度で回転駆動されるポリゴンミラー２３を備え、図示しないレーザ光線発生器にて発生されたレーザ光線（図中の一点鎖線）をポリゴンミラー２３で反射し、レーザ光線Ｌを等角速度で走査するように構成されている。
【００２８】
また、スキャナ機構１７は、ポリゴンミラー２３の前方上方に、ｆθレンズ２４を備え、ｆθレンズ２４にポリゴンミラー２３で反射されたレーザ光線を透過させ、レーザ光線の走査速度を等角速度から等速度に補正するように構成されている。
【００２９】
また、スキャナ機構１７は、ｆθレンズ２４の前方上方に、折り返しミラー２５を備え、ｆθレンズ２４を透過したレーザ光線を折り返しミラー２５によって折り返しミラー２５の後方下方に反射するように構成されている。
【００３０】
また、スキャナ機構１７は、折り返しミラー２５の後方下方に、シリンドリカルレンズ２６を備え、シリンドリカルレンズ２６に折り返しミラー２５で反射されたレーザ光線を透過させ、ポリゴンミラー２３にて規定された方向とは異なる方向に反射されたレーザ光線を副走査方向に偏向するように構成されている。
【００３１】
また、スキャナ機構１７は、シリンドリカルレンズ２６の後方下方に、反射ミラー２７を備え、シリンドリカルレンズ２６を透過したレーザ光線を反射ミラー２７によって感光体ドラム２０上に反射し、感光体ドラム２０上に静電潜像を形成するように構成されている。
【００３２】
また、定着機構１８は、プロセス機構１６の後方に、互いに当接するように加熱ローラ２８と押圧ローラ２９とを備え、加熱ローラ２８と押圧ローラ２９とが協働して、プロセス機構１６から用紙を取り込むと共に、取り込んだ用紙上に転写されたトナー像を用紙上に熱定着させるように構成されている。
【００３３】
また、排紙機構１０は、定着機構１８の後方に、互いに当接するように１対の搬送ローラ３０を備え、これら搬送ローラ３０が協働して定着機構１８から用紙を取り込むように構成されている。
【００３４】
また、排紙機構１０は、１対の搬送ローラ３０の後方から本体２の上方に至る経路を形成するガイド３１，３２を備え、１対の搬送ローラ３０が取り込んだ用紙をガイド３１，３２に沿って本体２の上方に導くように構成されている。
【００３５】
更に、排紙機構１０は、ガイド３１，３２の上端付近に、互いに当接するように１対の排紙ローラ３３を備え、これら排紙ローラ３３が協働してガイド３１，３２から用紙を取り込み、本体２の外部上面に形成された排紙トレイ３４に排出するように構成されている。
【００３６】
つまり、プリンタ１は、レーザ光線によって静電潜像を形成し、静電潜像にトナーを付着させて、静電潜像をトナー像として現像したのち、トナー像を用紙上に転写することで用紙上に画像を形成する、所謂レーザプリンタとして構成されている。
【００３７】
以下、トナーカートリッジ４０及び現像カートリッジ５０について詳述する。
まず、図２は、トナーカートリッジ４０の外観図である。尚、図２（ａ）は、トナーカートリッジ４０の正面図であり、図２（ｂ）は、トナーカートリッジ４０の背面図であり、図２（ｃ）は、トナーカートリッジ４０を正面に対する左方向から見たトナーカートリッジ４０の左側面図である。
【００３８】
図２に示すように、トナーカートリッジ４０は、トナーを内部に収容する筐体４１を備える。
そして、筐体４１は、扁平に成形され、正面から背面に至る水平方向の長さＬ（図２（ｃ）参照）と、左側面から右側面に至る水平方向の幅Ｗ（図２（ｂ）参照）とが、底面から上面に至る鉛直方向の高さＨ（図２（ｂ）参照）よりも大きく設定されている。より具体的には、筐体４１は、幅方向に大きく成形され、幅Ｗが長さＬの２倍程度の大きさに設定されている。
【００３９】
また、筐体４１は、正面端部に、当該筐体４１を幅方向に沿って挿通する円筒状の挿通孔４１１が形成されている。そして、正面の外壁は、曲面が挿通孔４１１の曲面に沿って当該筐体４１の外部方向へ突出する半円筒状に成形され、その曲面の中央部に、筐体４１の内部と外部とを挿通する開口部Ｓ１が形成されている。より具体的には、開口部Ｓ１は、筐体４１の幅方向に長い長尺状の平面形状をなすように形成されている。
【００４０】
また、筐体４１は、正面端部の底面に、正面の外壁の曲面に連続して、窪み４１２が形成されている。
また、筐体４１は、挿通孔４１１に、円筒からなる隔壁４２が挿入されている。より具体的には、隔壁４２は、当該隔壁４２における円をなす両側面上に、長尺状の平面形状をなす突起４２１が形成されている。そして、突起４２１の一端部には、隔壁４２の側面の外周縁に向かうにしたがって幅が拡大する幅広部４２１ａが形成されている。
【００４１】
また、筐体４１は、両側面の中央部に、１対のレバー部材４３が回動可能に軸支されている。より具体的には、１対のレバー部材４３は、一端側が、隔壁４２付近へと水平方向に延伸され、また、他端側が、筐体４１の背面へと延伸されている。そして、１対のレバー部材４３は、当該レバー部材４３が軸支されている部位から筐体４１の背面に至る部位の中央部付近にて上方に屈曲されている。
【００４２】
尚、１対のレバー部材４３における、隔壁４２付近に延伸された一端部（先端部）には、弓形の平面形状をなす係合部４３１が形成されている。そして、この係合部４３１には、筐体４１の正面に向かう外縁に複数の歯が形成されている。
【００４３】
また、１対のレバー部材４３における、筐体４１の背面へと延伸された一端部（後端部）には、１対のレバー部材４３を互いに連結する連結部材４３３が一体的に接続されている。つまり、１対のレバー部材４３は、筐体４１の背面にて、他方のレバー部材４３と互いに連結されている。
【００４４】
また、筐体４１は、背面端部の左側面に、本体２側の駆動軸（図示せず）と連結される連結部４１３が設けられている。より具体的には、連結部４１３は、円筒からなり、内周縁に１対の突起４１３ａが互いに対向して設けられ、本体２側の駆動軸が嵌合するように構成されている。
【００４５】
また、筐体４１は、背面の外壁も、曲面が当該筐体４１の外部方向へ突出する半円筒状に成形されている。そして、背面の上端及び下端には、背面から水平方向に突出し、レバー部材４３の連結部材４３３が当接することでレバー部材４３の回動範囲を制限する制限部材４１４，４１５が設けられている。
【００４６】
次に、図３は、トナーカートリッジ４０の内部構造を示す断面図である。尚、図３（ａ）は、トナーカートリッジ４０を幅方向の中央部にて長さ方向に切断し、正面に対する左方向からトナーカートリッジ４０を見た場合の断面図（図２（ａ）におけるＡ−Ａ断面図）である。また、図３（ｂ）は、トナーカートリッジ４０を筐体４１の左側端部にて長さ方向に切断し、正面に対する左方向からトナーカートリッジ４０を見た場合の断面図（図２（ａ）におけるＢ−Ｂ断面図）である。また、図３（ｃ）は、筐体４１の高さ方向の中央部（図３（ａ）のＣ−Ｃ面）から上面に至る部分を切断し（筐体４１のみを切断）、トナーカートリッジ４０を上方向から見た場合の平面図である。但し、これらの図のうち、図３（ａ），（ｃ）では、連結部材４３３が制限部材４１５へ当接するまでレバー部材４３の後端部が下方に下げられ、また、隔壁４２における幅広部４２１ａが筐体４１の上面側に位置するように隔壁４２が回動された状態の筐体４１内部の様子を示す。
【００４７】
図３に示すように、トナーカートリッジ４０の筐体４１の内部では、隔壁４２の周壁と挿通孔４１１の曲面とが当接し、隔壁４２の周壁を挿通孔４１１の曲面に沿わせた状態で隔壁４２が回動する。但し、挿通孔４１１の曲面には、開口部Ｓ１の外縁部分を囲むようにスポンジ４１６が貼付されている。
【００４８】
そして、隔壁４２の周壁には、開口部Ｓ１と対向することで筐体４１の外部へ挿通し、トナーを筐体４１の外部へ排出する開口部Ｓ２が形成されている。より具体的には、開口部Ｓ２は、開口部Ｓ１と同一の平面形状をなし、ほぼ同一の開口面積を有するように形成されている。尚、隔壁４２では、両側面の幅広部４２１ａが筐体４１の上面側に位置したときに、開口部Ｓ２が開口部Ｓ１と対向するように開口部Ｓ２の形成部位が設定されている。
【００４９】
更に、隔壁４２の周壁には、開口部Ｓ２と対向する部位に、開口部Ｓ２よりも開口面積が大きく設定された開口部Ｓ３が形成されている。より具体的には、開口部Ｓ３は、開口部Ｓ２と同様に長尺状の平面形状を有するように形成され、筐体４１の幅方向の長さが開口部Ｓ２よりも大きく設定されている。
【００５０】
また、筐体４１の内部には、トナーを収容するための空間である収容部４１７が形成されている。より具体的には、収容部４１７は、筐体４１の背面の内壁から挿通孔４１１へ至るように形成されている。
【００５１】
また、筐体４１の内部には、筐体４１の背面端部から正面端部に向かって、クランク機構４４、アジテータ４５，４６が順番に配設されている。
ここで、クランク機構４４は、クランク軸４４ａと、懸架部材４４ｂとから構成されている。より具体的には、クランク軸４４ａは、筐体４１の左側端部から右側端部にわたって配設され、その両端部がＬの字状に屈曲されている。そして、一端部が、筐体４１の右側壁に挿通されている一方、他端部が、筐体４１の左側端部内に配設された、連結部４１３と一体に回転するギア４４１の中心部に連結されている。
【００５２】
また、懸架部材４４ｂは、クランク軸４４ａの両端部から収容部４１７の底面に向けて懸架された１対の棒が、それらの下端部にて、筐体４１の左側端部から右側端部にわたって収容部４１７の底面に配設された棒で互いに連結された形状に成形されている。
【００５３】
つまり、クランク機構４４は、クランク軸４４ａが回転すると、懸架部材４４ｂが水平方向に往復運動するように構成されており、クランク軸４４ａの回転運動と懸架部材４４ｂの往復運動とによって、筐体４１の背面端部内のトナーを攪拌しながら、アジテータ４５側へ搬送する動力を発生する。
【００５４】
また、アジテータ４５は、回転軸４５ａと、１対のフィルム部材４５ｂとから構成されている。より具体的には、回転軸４５ａは、筐体４１の左側端部から右側端部にわたって配設され、一端部が、筐体４１の右側壁に挿通されている一方、他端部が、筐体４１の左側端部内に配設されたギア４５１の中心部に連結されている。尚、ギア４５１は、ギア４４１と係合したギア４４２と係合している。但し、ギア４４２の径は、ギア４４１の径とほぼ同じの大きさに設定されている。また、ギア４５１の径は、ギア４４２の径よりも小さく設定されている。
【００５５】
また、回転軸４５ａには、その左側端部から右側端部にわたって当該回転軸４５ａを囲繞する枠４５ｃが形成されている。尚、枠４５ｃには、回転軸４５ａの軸方向に沿って一定区間毎に仕切り４５ｄが設けられている。そして、枠４５ｃは、筐体４１の正面に対する左方向もしくは右方向から見た平面形状が平行四辺形状となるように成形されている。
【００５６】
また、１対のフィルム部材４５ｂはそれぞれ、回転軸４５ａの枠４５ｃにおける１対の長辺と同じ幅を有する樹脂製シートからなり、枠４５ｃの１対の長辺から互いに相対する方向に突出するように枠４５ｃの１対の長辺に貼付されている。但し、１対のフィルム部材４５ｂは、それぞれの突出端部が開口部Ｓ３内部にまで突出できるように、それぞれの突出端部の左右両端部に切り欠きが形成されている。
【００５７】
つまり、アジテータ４５は、回転軸４５ａが回転すると、枠４５ｃが１対のフィルム部材４５ｂと共に回転するように構成されており、枠４５ｃと１対のフィルム部材４５ｂとによって、収容部４１７内のトナーを攪拌しながら、隔壁４２側へ搬送する動力を発生する。
【００５８】
また、アジテータ４６は、回転軸４６ａと、１対のフィルム部材４６ｂと、鋸状部材４６ｃ，４６ｄとから構成されている。より具体的には、回転軸４６ａは、隔壁４２の左側端部から右側端部にわたって配設され、一端部が、隔壁４２の右側壁に挿通されている一方、他端部が、隔壁４２の左側端部内に配設されたギア４６１の中心部に連結されている。尚、ギア４６１は、ギア４５１と係合したギア４５２と係合している。但し、ギア４５２の径は、ギア４５１の径とほぼ同じ大きさに設定されている。また、ギア４６１の径は、ギア４４１，４４２の径とほぼ同じ大きさに設定されている。
【００５９】
また、回転軸４６ａには、軸方向の中央部に、当該回転軸４６ａを囲繞する枠４６ｅが形成されている。尚、枠４６ｅは、筐体４１の正面に対する左方向もしくは右方向から見た平面形状が平行四辺形状となるように成形されている。また、枠４６ｅの幅は、開口部Ｓ２の幅とほぼ同じ大きさに設定されている。
【００６０】
また、回転軸４６ａには、左側端部から枠４６ｅに至る区間と、右側端部から枠４６ｅに至る区間とにそれぞれ、回転軸４６ａの外周方向に突出した三角柱状の１対の突起４６ｆが形成されている。但し、１対の突起４６ｆはそれぞれ、同一方向に向かって突出している。
【００６１】
また、１対のフィルム部材４６ｂはそれぞれ、回転軸４６ａの枠４６ｅにおける１対の長辺と同じ幅（つまり、開口部Ｓ２の幅とほぼ同じ大きさの幅）を有する長方形状の樹脂製シートからなり、枠４６ｅの１対の長辺から互いに相対する方向に突出するように枠４６ｅの１対の長辺に貼付されている。
【００６２】
また、鋸状部材４６ｃは、図４に示すように成形されている。
ここで、図４は、鋸状部材４６ｃの詳細を示す図面である。尚、図４（ａ）は、鋸状部材４６ｃの平面図であり、図４（ｂ）は、回転軸４６ａの左側端部から中央部に至る部位の斜視図である。
【００６３】
図４（ａ）に示すように、鋸状部材４６ｃは、樹脂性シートからなり、長尺状に成形された貼付部４６ｇの一方の長辺上に複数の歯４６ｈが一列に形成された形状に成形されている。より具体的には、歯４６ｈはそれぞれ、一方の側辺が長く、他方の側辺が短くなるように先端部が傾斜した形状に成形されている。そして、図４（ｂ）に示すように、鋸状部材４６ｃは、歯４６ｈにおける長い方の側辺が回転軸４６ａの中央部に向かい、短い方の側辺が回転軸４６ａの左側端部に向かうようにその向きが設定され、貼付部４６ｇが回転軸４６ａの左側端部から枠４６ｅに至る突起４６ｆ上に貼付される。
【００６４】
また、鋸状部材４６ｄは、鋸状部材４６ｃを裏返し、回転軸４６ａの右側端部から枠４６ｅに至る突起４６ｆに貼付したものに過ぎず、歯４６ｈにおける長い方の側辺が回転軸４６ａの中央部に向かい、短い方の側辺が回転軸４６ａの右側端部に向かうようにその向きが設定されている（図３（ｃ）参照）。
【００６５】
つまり、アジテータ４６は、回転軸４６ａが回転すると、鋸状部材４６ｃ，４６ｄによって、隔壁４２内の左側端部及び右側端部のトナーを攪拌しながら、隔壁４２内の中央部に掻き集める動力を発生する。更に、アジテータ４６は、回転軸４６ａの枠４６ｅと１対のフィルム部材４６ｂとによって、隔壁４２内の中央部のトナーを攪拌しながら、開口部Ｓ１側へ搬送する動力も発生する。
【００６６】
尚、トナーカートリッジ４０では、本体２側の駆動軸によって、ギア４４１が図３（ｂ）における反時計回りの方向に回転されるため、クランク機構４４のクランク軸４４ａ、アジテータ４５の回転軸４５ａ、アジテータ４６の回転軸４６ａも反時計回りに回転する。このため、筐体４１内では、トナーが反時計回りに循環する。
【００６７】
次に、図５は、現像カートリッジ５０の構成を示す図面である。尚、図５（ａ）は、現像カートリッジ５０の正面図であり、図５（ｂ）は、現像カートリッジ５０を正面の中央部で切断し、正面に対する右側方向から見た場合の断面図（図５（ａ）におけるＤ−Ｄ断面図）である。
【００６８】
図５に示すように、現像カートリッジ５０は、現像機構５１を内部に収容する筐体５２を備える。
ここで、現像機構５１は、上オーガ５１ａと、下オーガ５１ｂと、供給ローラ５１ｃと、現像ローラ５１ｄと、現像ブレード５１ｅとを備える。より具体的には、上オーガ５１ａは、軸状部材からなり、筐体５２の正面側内部の上方に、筐体５２の左側端部から右側端部にわたって配設されている。但し、上オーガ５１ａは、筐体５２の両端部のトナーを攪拌しながら筐体５２の中央部に掻き集めるように、左側端部から右側端部に至る区間に螺旋歯が形成されている。
【００６９】
また、下オーガ５１ｂは、軸状部材からなり、筐体５２の正面側内部の中央に、筐体５２の左側端部から右側端部にわたって配設されている。但し、下オーガ５１ｂは、筐体５２の中央部のトナーを攪拌しながら筐体５２の両端部へ搬送するように、左側端部から右側端部に至る区間に螺旋歯が形成されている。
【００７０】
また、供給ローラ５１ｃは、下オーガ５１ｂの下方に、筐体５２の左側端部から右側端部にわたって配設されている。
また、現像ローラ５１ｄは、供給ローラ５１ｃの背部に、供給ローラ５１ｃに当接した状態で、筐体５２の左側端部から右側端部にわたって配設されている。
【００７１】
また、現像ブレード５１ｅは、下オーガ５１ｂと現像ローラ５１ｄとの間に、現像ローラ５１ｄに当接した状態で、筐体５２の左側端部から右側端部にわたって配設されている。
【００７２】
また、筐体５２は、その背面側が開放されており、背面側から現像ローラ５１ｄが露出している。
また、筐体５２は、その正面側が、トナーカートリッジ４０を収容するように成形されている。より具体的には、筐体５２は、正面の外壁が、トナーカートリッジ４０の正面の外壁に沿った曲面に成形されている。そして、正面に対する左側端部及び右側端部に、１対の側壁５２１が形成され、正面の下端部に、水平方向に突出した平板状の底壁５２２が形成されている。
【００７３】
また、筐体５２は、正面の外壁の中央部に、筐体５２の内部と外部とを挿通し、平面形状及び開口面積がトナーカートリッジ４０の開口部Ｓ１と同一に設定された開口部Ｓ４が形成されている。そして、正面の外壁には、開口部Ｓ４の外縁を囲むようにスポンジ５２３が貼付されている。
【００７４】
また、筐体５２は、正面の外壁の曲面に沿った円弧状の１対のガイド部材５３が正面の外壁の左側端部及び右側端部に配設されている。そして、１対のガイド部材５３が、開口部Ｓ４を閉塞する長尺状のシャッタ５４を正面の外壁の曲面に沿って移動可能に挟持している。
【００７５】
そして、筐体５２は、１対の側壁５２１にそれぞれ、トナーカートリッジ４０を係止する円盤部材５５が回転可能に軸支されている。より具体的には、円盤部材５５はそれぞれ、当該円盤部材５５が取り付けられている側壁５２１の反対側の側壁５２１に対面する表面に長尺状の係合溝５５１が形成されている。尚、この係合溝５５１は、トナーカートリッジ４０の隔壁４２における突起４２１が係合するように成形されており、係合溝５５１の一端部には、突起４２１における幅広部４２１ａが係合する幅広部５５１ａが形成されている。
【００７６】
また、円盤部材５５は、係合溝５５１の幅広部５５１ａの反対側の外縁に当該円盤部材５５の外縁から突出した突起５５２が形成されている。
また、円盤部材５５は、当該円盤部材５５が取り付けられている側壁５２１に対面する背面にギア５５３が形成されている。尚、ギア５５３は、トナーカートリッジ４０のレバー部材４３における係合部４３１と係合するギアである。また、ギア５５３の径は、円盤部材５５の径よりも小さく設定されている。
【００７７】
ここで、図６は、円盤部材５５の取付け方を示す斜視図である。尚、図６では、筐体５２の正面に対する左側の円盤部材５５の取付け方を示すが、正面に対する右側の円盤部材５５の取付け方もこれと同様である。
【００７８】
図６に示すように、側壁５２１には、円形の平面形状をなす挿通孔５２１ａが形成されている。また、筐体５２の正面の外壁には、１対のガイド部材５３付近にそれぞれ、ガイド部材５３に沿って正面の外壁の中央部から底壁５２２に至るガイド溝５２４が形成されている。
【００７９】
そして、シャッタ５４には、正面に対する左側端部及び右側端部にそれぞれ、四角形の平面形状をなし、１対のガイド部材５３に挟持された際にガイド溝５２４に連通する連通孔５４ａが形成されている。より具体的には、連通孔５４ａは、シャッタ５４の短手方向の中央部に形成されている。
【００８０】
そして、円盤部材５５は、側壁５２１へ取り付けられる際に、当該円盤部材５５の突起５５２がシャッタ５４の連通孔５４ａを介してガイド溝５２４へと挿通され、当該円盤部材５５の背面に形成された回転軸５５４が挿通孔５２１ａへと嵌め込まれる。
【００８１】
つまり、筐体５２の正面側では、円盤部材５５の突起５５２が正面の外壁に向くように円盤部材５５が回動されると、これに連動して、シャッタ５４が筐体５２の正面の外壁上に移動し、開口部Ｓ４を閉塞する。また、円盤部材５５の突起５５２が底壁５２２に向くように円盤部材５５が回動されると、シャッタ５４が底壁５２２上に移動し、開口部Ｓ４を開放する。
【００８２】
以上のように構成されたトナーカートリッジ４０及び現像カートリッジ５０では、ユーザがトナーカートリッジ４０を現像カートリッジ５０に装着する際には、図７（ａ）に示すように、まず、トナーカートリッジ４０の隔壁４２における突起４２１の幅広部４２１ａが筐体４１の背面側に向くように隔壁４２の向きを予め設定しておくと共に、１対のレバー部材４３の後端部を上げておく。尚、この際、トナーカートリッジ４０の開口部Ｓ１は隔壁４２によって閉塞されている。
【００８３】
一方、図７（ｂ）に示すように、トナーカートリッジ４０が離脱している状態では、現像カートリッジ５０は、円盤部材５５における係合溝５５１の幅広部５５１ａが当該現像カートリッジ５０の正面側に向き、開口部Ｓ４がシャッタ５４によって閉塞されている。
【００８４】
そして、ユーザは、トナーカートリッジ４０の突起４２１を現像カートリッジ５０の係合溝５５１に係合させるように、トナーカートリッジ４０の正面端部を現像カートリッジ５０の正面へと挿入して、トナーカートリッジ４０を現像カートリッジ５０に水平方向に装着する。尚、この際、レバー部材４３における係合部４３１の歯が円盤部材５５におけるギア５５３の歯と係合する。
【００８５】
そして、図７（ｃ），（ｄ）に示すように、ユーザが、トナーカートリッジ４０のレバー部材４３の後端部を下げると、これに連動して、現像カートリッジ５０の円盤部材５５が、幅広部５５１ａを上方に位置させるように回動する。これによって、シャッタ５４が底壁５２２へ移動し、開口部Ｓ４が開放される。また、トナーカートリッジ４０の突起４２１が現像カートリッジ５０の係合溝５５１に係合しているため、円盤部材５５の回動に伴って、レバー部材４４３の回動操作が隔壁４２の両側面に伝達され、隔壁４２の開口部Ｓ２が筐体４１の開口部Ｓ１と対向するように隔壁４２も回動し、開口部Ｓ１が開放される。尚、図７は、トナーカートリッジ４０及び現像カートリッジ５０における各部の動作を示す説明図である。
【００８６】
以上に述べたように、トナーカートリッジ４０によれば、ユーザは、１対のレバー部材４３によって隔壁４２の両端部の各々に対して回動操作を加えることができるため、隔壁４２を容易に回動させることができ、ひいては、開口部Ｓ１の開放及び閉塞を従来よりも容易に行うことができる。
【００８７】
また、トナーカートリッジ４０では、１対のレバー部材４３が連結部材４３３によって互いに連結されているため、ユーザは、片手で１対のレバー部材４３の双方を回動操作できる。つまり、ユーザは、片手で隔壁４２の両端部に回動操作を加えることができるため、開口部Ｓ１の開放及び閉塞をより一層容易に行うことができる。
【００８８】
また、トナーカートリッジ４０では、１対のレバー部材４３が、筐体４１の背面側に延伸されているため、ユーザは、現像カートリッジ５０よりも手前側で隔壁４２の回動操作を行うことができる。即ち、開口部Ｓ１の開放及び閉塞を現像カートリッジ５０よりも手前側で容易に行うことができる。
【００８９】
また、現像カートリッジ５０では、トナーカートリッジ４０のレバー部材４３が回動されると、それに応じて、円盤部材５５が、開口部Ｓ４を開放する位置もしくは閉塞する位置にシャッタ５４を移動させると共に、レバー部材４３の回動を隔壁４２の両端部に伝達するため、現像カートリッジ５０の開口部Ｓ４の開放及び閉塞と、トナーカートリッジ４０の開口部Ｓ１の開放及び閉塞とを同時に行うことができる。
【００９０】
つまり、現像カートリッジ５０によれば、トナーカートリッジ４０を現像カートリッジ５０に装着する際に、開口部Ｓ１，Ｓ４を開放するのに要する手間、及びトナーカートリッジ４０を現像カートリッジ５０から離脱させる際に、開口部Ｓ１，Ｓ４を閉塞するのに要する手間を軽減できる。
【００９１】
尚、本実施形態では、トナーカートリッジ４０が本発明のトナーカートリッジに相当し、筐体４１が本発明における筐体に相当し、隔壁４２が本発明における隔壁に相当する。
そして、隔壁４２の開口部Ｓ２が本発明における第１の開口部に相当し、筐体４１の開口部Ｓ１が本発明における第２の開口部に相当し、１対のレバー部材４３が本発明におけるレバー部材に相当する。
【００９２】
また、本実施形態では、現像カートリッジ５０が本発明における現像装置に相当し、現像カートリッジ５０の開口部Ｓ４が本発明における第３の開口部に相当し、シャッタ５４が本発明におけるシャッタに相当する。
【００９３】
そして、１対のガイド部材５３が本発明における保持機構に相当し、１対の円盤部材５５が本発明における伝達機構に相当する。
ところで、本実施形態では、本発明をレーザプリンタに適用したが、静電潜像にトナーを付着させて、静電潜像を現像し、現像した静電潜像を記録媒体上に転写することで、記録媒体上に画像を形成する画像形成装置であれば、どのような形態のもの（例えば複写機、複合機、ファクシミリ装置など）にも適用できる。尚、本発明を適用する画像形成装置は、一種類のトナーを用いてモノクロ画像を形成するものであってもよいし、複数種類のトナーを用いてカラー画像を形成するものであってもよい。
【００９４】
以上、本発明の実施の形態について説明したが、本発明は、上記実施形態に何ら限定されることはなく、本発明の技術的範囲に属する限り種々の形態をとり得ることはいうまでもない。
［変形例］
ここで、本発明に係るトナーカートリッジ及び現像カートリッジの変形例について説明する。但し、以下に示す変形例は、上記実施形態のトナーカートリッジ４０及び現像カートリッジ５０の構成を一部変更しただけであるため、上記実施形態と共通する構成要素については同一の符号を付してその説明を省略し、異なる構成要素についてのみ詳述する。
【００９５】
まず、図８，９を用いて、本変形例のトナーカートリッジ６０の外形について説明する。尚、図８（ａ）は、トナーカートリッジ６０の正面図であり、図８（ｂ）は、トナーカートリッジ６０の背面図である。また、図９（ａ）は、上方から見たトナーカートリッジ６０の平面図であり、図９（ｂ）は、トナーカートリッジ６０を正面に対する左方向から見たトナーカートリッジ６０の左側面図である。但し、図９（ａ）では、図８（ａ），（ｂ），図９（ｂ）と異なり、連結部材４３３が制限部材４１５へ当接された状態のトナーカートリッジ６０を示す。
【００９６】
図８，９に示すように、トナーカートリッジ６０は、上記実施形態における筐体４１と同様に扁平に成形された筐体６１を備える。
そして、筐体６１は、正面端部が円状の側面形状をなすように成形されている。より具体的には、正面の外壁は、曲面が当該筐体６１の外部方向へ突出する半円筒状に成形されている。そして、正面の外壁の曲面に連続して、正面端部の上面及び下面に窪み６１１，６１２が形成されている。
【００９７】
また、筐体６１は、正面端部に隔壁６２が装着されている。より具体的には、隔壁６２は、半円筒からなり、周壁が筐体６１の正面の外壁に沿って筐体６１の外部方向に突出している。そして、隔壁６２は、当該隔壁６２における、筐体６１の上面側の端部（上端部）と筐体６１の底面側の端部（底端部）とが、正面端部の外壁に沿って屈曲された１対の円弧状部材６２１によって連結されており、１対の円弧状部材６２１と共に筐体６１の正面端部を囲繞している。つまり、隔壁６２は、筐体６１の正面端部の外壁の曲面に当該隔壁６２の周壁を沿わせた状態で回動できるように正面端部に装着されている。
【００９８】
また、隔壁６２は、周壁の中央部と上端部との間に、当該隔壁６２の周壁を挿通する開口部Ｓ６が形成されている。より具体的には、開口部Ｓ６の形成部位は、隔壁６２の周壁の中央部と上端部との間であって、周壁の長手方向（つまり、筐体６１の幅方向）の中央部に設定されている。尚、開口部Ｓ６は、隔壁６２の長手方向に長い長尺状の平面形状をなすように形成されている。
【００９９】
また、隔壁６２は、周壁の中央部と底端部との間に、１対の突起６２２が形成されている。より具体的には、１対の突起６２２の形成部位は、隔壁６２の周壁の中央部と底端部との間であって、隔壁６２の左側端部及び右側端部に設定されている。
【０１００】
また、隔壁６２は、左側端部と、右側端部とにそれぞれ、半円状の平面形状をなす側壁６２３が形成されており、双方の側壁６２３上に円形の平面形状をなすギア６２４が形成されている。
【０１０１】
また、筐体６１は、両側面の中央部に、１対のレバー部材４３が回動可能に軸支され、１対のレバー部材４３の係合部４３１における複数の歯が、ギア６２４の歯と係合されている。
【０１０２】
また、筐体６１は、上記実施形態における筐体４１と同様、背面の上端及び下端に、制限部材４１４，４１５が設けられている。
ここで、図１０は、トナーカートリッジ６０の内部構造を示す断面図である。より具体的には、図１０は、トナーカートリッジ６０を幅方向の中央部にて長さ方向に切断し、正面に対する左方向からトナーカートリッジ６０を見た場合の断面図（図９（ａ）におけるＥ−Ｅ断面図）である。但し、図１０では、連結部材４３３が制限部材４１５へ当接された状態の筐体６１内部の様子を示す。
【０１０３】
図１０に示すように、筐体６１の正面の中央部には、当該筐体６１の内部と外部とを挿通する開口部Ｓ５が形成されている。尚、開口部Ｓ５は、隔壁６２の開口部Ｓ６と同一の平面形状をなし、ほぼ同一の開口面積を有するように形成されている。そして、隔壁６２は、当該隔壁６２の底端部が筐体６１の窪み６１２に当接するように回動すると、突起６２２が筐体６１における正面端部の底面へと移動すると共に、開口部Ｓ６が筐体６１の開口部Ｓ５と対向し、開口部Ｓ６が筐体６１の内部へ挿通する。
【０１０４】
また、筐体６１の内部には、上記実施形態における筐体４１と同様に、当該筐体６１の背面端部から正面端部に向かって、クランク機構４４、アジテータ４５，４６が順番に配設されている。
【０１０５】
次に、図１１を用いて、本変形例の現像カートリッジ７０の構成について説明する。尚、図１１（ａ）は、現像カートリッジ７０の正面図であり、図１１（ｂ）は、現像カートリッジ７０を正面の中央部で切断し、正面に対する右側方向から見た場合の断面図（図１１（ａ）におけるＦ−Ｆ断面図）である。
【０１０６】
図１１に示すように、現像カートリッジ７０は、上記実施形態における現像カートリッジ５０から円盤部材５５を取り外して構成されている。但し、側壁５２１では、挿通孔５２１ａが未形成となっている。
【０１０７】
つまり、現像カートリッジ７０の筐体５２の正面側では、トナーカートリッジ６０を装着する際に、トナーカートリッジ６０の突起６２２がシャッタ５４の連通孔５４ａを介してガイド溝５２４へと挿通する。そして、トナーカートリッジ６０の突起６２２を底壁５２２に向けるように隔壁６２が回動されると、シャッタ５４が底壁５２２上に移動し、開口部Ｓ４が開放される。また、トナーカートリッジ６０を離脱する際に、トナーカートリッジ６０の突起６２２を当該現像カートリッジ７０の正面の外壁に向けるように隔壁６２が回動されると、これに連動して、シャッタ５４が筐体５２の正面の外壁上に移動し、開口部Ｓ４が閉塞される。
【０１０８】
以上のように構成された本変形例のトナーカートリッジ６０及び現像カートリッジ７０では、ユーザがトナーカートリッジ６０を現像カートリッジ７０に装着する際には、図１２（ａ）に示すように、まず、１対のレバー部材４３の後端部を上げて、突起６２２が筐体６１の正面側に向くように隔壁６２の向きを予め設定しておく。尚、この際、トナーカートリッジ６０の開口部Ｓ５は隔壁６２によって閉塞されている。
【０１０９】
一方、図１２（ｂ）に示すように、トナーカートリッジ６０が離脱している状態では、現像カートリッジ７０は、開口部Ｓ４がシャッタ５４によって閉塞されている。
そして、ユーザは、トナーカートリッジ６０の突起６２２をシャッタ５４の連通孔５４ａに挿入するように、トナーカートリッジ６０の正面端部を現像カートリッジ７０の正面へと挿入して、トナーカートリッジ６０を現像カートリッジ７０に水平方向に装着する。
【０１１０】
そして、図１２（ｃ），（ｄ）に示すように、ユーザが、トナーカートリッジ６０のレバー部材４３の後端部を下げると、これに連動して、突起６２２を底壁５２２に向けるように隔壁６２が回動する。これによって、トナーカートリッジ６０では、開口部Ｓ５が開放され、現像カートリッジ７０では、シャッタ５４が底壁５２２へ移動し、開口部Ｓ４が開放される。尚、図１２は、トナーカートリッジ６０及び現像カートリッジ７０における各部の動作を示す説明図である。
【０１１１】
以上のように構成された本変形例のトナーカートリッジ６０及び現像カートリッジ７０でも、上記実施形態におけるトナーカートリッジ４０及び現像カートリッジ５０と同様の効果を発揮する。
【図面の簡単な説明】
【０１１２】
【図１】本発明を適用したプリンタ１の内部構造を簡略的に示す断面図である。
【図２】トナーカートリッジ４０の外観図である。
【図３】トナーカートリッジ４０の内部構造を示す断面図である。
【図４】鋸状部材４６ｃの詳細を示す図面である。
【図５】現像カートリッジ５０の構成を示す図面である。
【図６】円盤部材５５の取付け方を示す斜視図である。
【図７】トナーカートリッジ４０及び現像カートリッジ５０における各部の動作を示す説明図である。
【図８】トナーカートリッジ６０の正面図及び背面図である。
【図９】トナーカートリッジ６０の平面図及び左側面図である。
【図１０】トナーカートリッジ６０の内部構造を示す断面図である。
【図１１】現像カートリッジ７０の構成を示す図面である。
【図１２】トナーカートリッジ６０及び現像カートリッジ７０における各部の動作を示す説明図である。
【符号の説明】
【０１１３】
１…プリンタ、２…本体、３…給紙カセット、４…バネ、５…支持板、６…開口部、７…蓋体、８…給紙機構、９…画像形成機構、１０…排紙機構、１１…給紙ローラ、１２…搬送ローラ、１３，３１，３２…ガイド、１４，１５…レジストローラ、１６…プロセス機構、１７…スキャナ機構、１８…定着機構、１９…現像装置、２０…感光体ドラム、２１…スコロトロン帯電器、２２…転写ローラ、２３…ポリゴンミラー、２４…ｆθレンズ、２５…折り返しミラー、２６…シリンドリカルレンズ、２７…反射ミラー、２８…加熱ローラ、２９…押圧ローラ、３０…搬送ローラ、３３…排紙ローラ、３４…排紙トレイ、４０，６０…トナーカートリッジ、４１，５２，６１…筐体、４２，６２…隔壁、４３…レバー部材、４４…クランク機構、４４ａ…クランク軸、４４ｂ…懸架部材、４５，４６…アジテータ、４５ａ，４６ａ，５５４…回転軸、４５ｂ，４６ｂ…フィルム部材、４５ｃ，４６ｅ…枠、４５ｄ…仕切り、４６ｃ，４６ｄ…鋸状部材、４６ｆ，４１３ａ，４２１，５５２，６２２…突起、４６ｇ…貼付部、４６ｈ…歯、５０，７０…現像カートリッジ、５１…現像機構、５１ａ…上オーガ、５１ｂ…下オーガ、５１ｃ…供給ローラ、５１ｄ…現像ローラ、５１ｅ…現像ブレード、５３…ガイド部材、５４…シャッタ、５４ａ…連通孔、５５…円盤部材、４１１，５２１ａ…挿通孔、４１２，６１１，６１２…窪み、４１３…連結部、４１４，４１５…制限部材、４１６，５２３…スポンジ、４１７…収容部、４２１ａ，５５１ａ…幅広部、４３１…係合部、４３３…連結部材、４４１，４４２，４５１，４５２，４６１，５５３，６２４…ギア、５２１，６２３…側壁、５２２…底壁、５２４…ガイド溝、５５１…係合溝、６２１…円弧状部材。
【図１】
0004665686.tif 000002
【図２】
0004665686.tif 000003
【図３】
0004665686.tif 000004
【図４】
0004665686.tif 000005
【図５】
0004665686.tif 000006
【図６】
0004665686.tif 000007
【図７】
0004665686.tif 000008
【図８】
0004665686.tif 000009
【図９】
0004665686.tif 000010
【図１０】
0004665686.tif 000011
【図１１】
0004665686.tif 000012
【図１２】
0004665686.tif 000013